(57)【要約】  骨組糸着脱手段は、弾力を有し、頭に着脱される着脱バンド３１、４０、７０と、前記着脱バンド３１、４０、７０と骨組糸１０、９０に連結される補助バンド３３、８０とでなり、前記着脱バンド４０の両端が折られて輪部４１が形成され、前記折られた部分にチューブ６０が嵌められる。  従って、本発明のかつらを使えば、着脱バンドが頭の周りに密着されて着用されるので、頭に加えられる圧迫が分散されて不便さが減少され、着脱バンドを広めて頭に被れば、かつらが頭に簡単に着用されるので、かつらを被ったり脱ぐのが楽で、かつらを着用してから輪部に隣接した毛髪を嵌めた後、その輪部の端部を引っ張れば、かつらの前方部が頭に密着されるので、風や激しい運動にもかつらが浮かなくなる。【選択図】図１
2009534554.tif 000002
【特許請求の範囲】
【請求項１】
多数の毛髪（２０）が結ばれた網形態の骨組糸（１０、９０）と、該骨組糸（１０、９０）を頭に固定させる着脱手段とで構成された骨組糸を利用したかつらにおいて、
前記着脱手段は、
弾力を有して頭に着脱される着脱バンド（３１、４０、７０）と、
該着脱バンド（３１、４０、７０）と骨組糸（１０、９０）に連結される補助バンド（３３、８０）とでなることを特徴とする骨組糸を利用したかつら。
【請求項２】
前記着脱バンド（３１）は、
その両端が前記骨組糸（１０）の二つの部分に固定されていることを特徴とする請求項１に記載の骨組糸を利用したかつら。
【請求項３】
前記着脱バンド（７０）は、
閉曲線形態になることを特徴とする請求項１に記載の骨組糸を利用したかつら。
【請求項４】
前記着脱バンド（４０）の両端が折られて輪部（４１）が形成され、前記折られた部分にチューブ（６０）が嵌められることを特徴とする請求項２に記載の骨組糸を利用したかつら。
【請求項５】
前記着脱バンド（４０）の輪部（４１）の直径を締めることができるように、前記着脱バンド（４０）の折られた端部（４２）が前記チューブ（６０）の外側に突出されていることを特徴とする請求項４に記載の骨組糸を利用したかつら。
【請求項６】
前記骨組糸（１０）は、
閉曲線形態の第１骨組糸（１１）と、前記第１骨組糸（１１）内に一方向にだけ等間隔に多数配列固定され、多数の結び目部（１３）が形成された第２骨組糸（１２）とでなることを特徴とする請求項２または請求項３に記載の骨組糸を利用したかつら。
【発明の詳細な説明】
【技術分野】
【０００１】
本発明は、かつらに関するもので、より詳細には、かつらによって頭に加えられる圧迫を分散させ、かつらの着脱を簡便にすることができ、着用したかつらが浮かない、骨組糸（hairnet）を利用したかつらに関するものである。
【背景技術】
【０００２】
かつらは、頭に着用して身体のコンプレックスを隠すのに使われる道具で、多様なヘアースタイルを表現するのに広く使用されたりもする。
このようなかつらは、網形態の骨組糸に毛髪を結んでなったものと、頭の形のカバーに毛髪を植えてなったものがある。
【０００３】
ところが、カバーでなったかつらは、カバーが頭に被さる際、通風がされなくて、カバーと頭の部分の間の対面部位に汗が溜まるという問題が発生し、発生した汗は、痒さを誘発して皮膚病とフケを発生させることになる。
【０００４】
従って、通風効果が卓越な骨組糸を利用したかつらが広く愛用されている。
このような骨組糸を用いたかつらは、毛髪と、この毛髪が植えられる網形態の骨組糸と、この骨組糸を頭に支持させるためのクリップとからなる。
【０００５】
ところが、このような従来の骨組糸を利用したかつらは、クリップが頭の局部で支持されるので、特定部位に圧迫が集中し、これによって着用者に不快感を与えることになり、また、かつらを被ったり脱いだりする度にクリップを締結したり解かなければならないので、その作業が大変煩雑であった。
【発明の開示】
【発明が解決しようとする課題】
【０００６】
上述した問題を鑑みた本発明の目的は、かつらによって頭に加えられる圧迫を分散させることができるようにした骨組糸を利用したかつらを提供することにある。
【０００７】
本発明の他の目的は、かつらの着脱を簡便にすることができるようにした骨組糸を利用したかつらを提供することにある。
【０００８】
本発明の更に他の目的は、着用したかつらが浮かないようにした骨組糸を利用したかつらを提供することにある。
【課題を解決するための手段】
【０００９】
このような目的を達成するための本発明は、多数の毛髪が結ばれた網形態の骨組糸と、該骨組糸を頭に固定させる着脱手段とで構成された骨組糸を利用したかつらにおいて、前記着脱手段が、弾力を有し、頭に着脱される着脱バンドと、該着脱バンドと骨組糸に連結される補助バンドとでなっていることを特徴とする。
【００１０】
本発明の骨組糸を利用したかつらの他の特徴は、前記着脱バンドは、その両端が前記骨組糸の二つの部分に固定されている。
【００１１】
本発明の骨組糸を利用したかつらのまた他の特徴は、前記着脱バンドは、閉曲線形態になる。
【００１２】
本発明の骨組糸を利用したかつらのまた他の特徴は、前記着脱バンドの両端が折られて輪部が形成され、前記折られた部分にチューブが嵌められる。
【００１３】
本発明の骨組糸を利用したかつらのまた他の特徴は、前記着脱バンドの輪部の直径を締めることができるように、前記着脱バンドの折られた端部が前記チューブの外側に突出されている。
【００１４】
本発明の骨組糸を利用したかつらのまた他の特徴は、前記骨組糸は、閉曲線形態の第１骨組糸と、前記第１骨組糸内に一方向にだけ等間隔に多数配列固定され、多数の結び目部が形成された第２骨組糸とでなる。
【発明の効果】
【００１５】
従って、本発明のかつらを被れば、着脱バンドが頭の周りに密着されながら着用されるので、頭に加えられる圧迫が分散されて不便さが減少し、着脱バンドを広げて頭に被せれば、かつらが頭に簡単に着用されるので、かつらの着脱がたいへん便利であり、かつらを着用してから輪部に隣接した毛髪を嵌めた後、その輪部の端部を引っ張れば、かつらの前方部が頭に密着されるので、風や激しい運動にもかつらが浮かなくなる。
【発明を実施するための最良の形態】
【００１６】
本発明の具体的な特徴及び利点は、添付の図面を参照した以下の説明でより明確になる。
【００１７】
図１は、本発明の骨組糸（hairnet）を利用したかつらを示した概略的な底面斜視図で、図２は、図１の底面図で、図３は、着用状態を示した正面図で、これは多数の毛髪２０が結ばれた網形態の骨組糸１０と、この骨組糸１０を頭に固定させる着脱手段３０とでなる。
【００１８】
そして、前記骨組糸１０は、閉曲線形態の第１骨組糸１１と、この第１骨組糸１１内に一方向にだけ等間隔に多数配列固定され、多数の結び目部１３が形成された第２骨組糸１２とからなる。
このような骨組糸１０の結び目部１３には、毛髪２０が結ばれることになり、これによって毛髪２０が第２骨組糸１２に沿って左右に遊動しなくなる。
【００１９】
このような網形態の骨組糸１０は、比較的広い多数の空気通路を有するので、骨組糸１０が頭に被さった時、頭で発生した汗が骨組糸１０の間の空気通路を介して外部に円滑に排出される。
また、このような骨組糸１０のうち、第２骨組糸１２に結ばれた毛髪２０は、左右に遊動しないので、骨組糸が格子模様を有するように組む必要がない。
【００２０】
着脱手段３０は、弾力を有して頭に着脱される着脱バンド３１と、この着脱バンド３１と第１骨組糸１１に連結される補助バンド３３とからなる。
【００２１】
着脱バンド３１は、弾力を有し、従って頭に被せるために引っ張れば広がり、頭に被さった後は、頭の周りに密着される。
このような着脱バンド３１は、その両端が骨組糸１０のうち第１骨組糸１１に各々結ばれて固定される。
【００２２】
補助バンド３３は、弾力を有し、着脱バンド３１の二つの部分と、これに対応する第１骨組糸１１の二つの部位にそれぞれ結ばれる。
【００２３】
このような本発明の骨組糸を利用したかつらは、着脱バンド３１を広めて頭に被せればかつらが簡単に着用される。
このように着用すれば、着脱バンド３１が頭の周りに密着され、補助バンド３３は、骨組糸１０を着脱バンド３１に弾力的に支持して、骨組糸１０及びここに結ばれた毛髪２０を頭に密着させることになる。
【００２４】
このような本発明の骨組糸を利用したかつらを使えば、着脱バンド３１が頭の周りに密着されながら着用されるので、頭に加えられる圧迫が分散されて不便さが減少される。
また、着脱バンド３１を広めて頭に被せれば、かつらが頭に簡単に着用されるので、かつらを被ったり脱ぐのが便利である。
【００２５】
図４及び図５は、本発明の他の実施例を示した概略的な部分拡大図で、これはかつらの前方部が浮かないようにする構成で、着脱バンド４０の両端に輪部４１が形成され、この輪部４１の直径を締められるようになっている。
つまり、着脱バンド４０の両端が折られて輪部４１が形成され、折られた部分にチューブ６０が嵌められ、着脱バンド４０の輪部４１の直径を締めることができるように、着脱バンド４０の折られた端部４２がチューブ６０の外側に突出されている。
【００２６】
従って、かつらを頭に着用した後、輪部４１に隣接した頭の毛髪５０を嵌めた後、その輪部４１の端部、つまり着脱バンド４０の端部４２を引っ張ると、頭の毛髪５０が引っ張られながら着脱バンド４０の両端部が頭に密着される。
【００２７】
従って、着脱バンド４０の両端部が頭に密着支持されるので、かつらの前方部が浮かなくなり、風や激しい運動にも頭に堅固に密着される。
【００２８】
図６は、本発明の更に他の実施例を示した概略的な底面図で、これは着脱バンド７０が閉曲線形態になり、着脱バンド７０の四つの部分と、これに対応される骨組糸９０の四つの部分に補助バンド８０が結ばれる。
【００２９】
このような本発明のかつらを頭に被せる時、閉曲線形態の着脱バンド７０が頭の周り全体に密着されるので、着用された状態が比較的安定的である。
【００３０】
上記で説明した実施例は、本発明の好ましい実施例を説明したものに過ぎず、本発明の権利範囲は、説明された実施例に限定されるものではなく、本発明の技術的思想と特許請求の範囲内で、この分野の当業者によって多様に変更、変形または置換が可能であり、そのような実施例は本発明の範囲に属するものと理解するべきである。
【００３１】
以上でのような本発明は、本発明のかつらを使えば、着脱バンドが頭の周りに密着されて着用されるので、頭に加えられる圧迫が分散されて不便さを減少させ、着脱バンドを広めて頭に被れば、かつらが頭に簡単に着用されるので、かつらを被ったり脱ぐのが楽で、かつらを着用してから輪部に隣接した毛髪を嵌めた後、その輪部の端部を引っ張れば、かつらの前方部が頭に密着されるので、風や激しい運動にもかつらが浮かなくなる。
【図面の簡単な説明】
【００３２】
【図１】本発明の骨組糸を利用したかつらを示した概略的な底面斜視図である。
【図２】図１の底面図である。
【図３】着用状態を示した正面図である。
【図４】本発明の他の実施例を示した概略的な部分拡大図である。
【図５】本発明の他の実施例を示した概略的な部分拡大図である。
【図６】本発明の更に他の実施例を示した概略的な底面図である。
【符号の説明】
【００３３】
１０、９０：骨組糸
１１：第１骨組糸
１２：第２骨組糸
１３：結び目部
２０：毛髪
３０：着脱手段
３１、４０、７０：着脱バンド
３３、８０：補助バンド
４１：輪部
６０：チューブ
【図１】
2009534554.tif 000003
【図２】
2009534554.tif 000004
【図３】
2009534554.tif 000005
【図４】
2009534554.tif 000006
【図５】
2009534554.tif 000007
【図６】
2009534554.tif 000008
【国際調査報告】
2009534554.tif 000009
2009534554.tif 000010